(57)【要約】【課題】クラフト紙袋に形成されている内容物充填のための開口部を、該袋の表裏両面から負圧吸引して開口させる際、表裏両面の各クラフト紙層が点貼りされている場合は問題ないものの、点貼りされていない場合には、外層のクラフト紙と内層の合成樹脂フィルム等との間に吸引負圧の不足による間隙が生じ、内容物充填時に、該間隙内に空気と内容物との一部が誤充填され、この空気の排気が不十分であると、内容物の取り出し時に、誤充填された内容物が異物として取り出される内容物に混入する恐れが存するため、かかる混入の生じないクラフト紙袋用の紙筒を提供すること。【解決手段】クラフト紙袋を形成する為の紙筒の底辺から所定の高さの区間の、少なくとも２枚のクラフト紙のその間に介装されている合成樹脂層とを、間隔を存した多数の接着線で接着させ、接着線間のクラフト紙と合成樹脂層とは、互に遊離した状態で密接させた。【選択図】図２
2005067665.tif 000002
【特許請求の範囲】
【請求項１】
少なくとも２枚のクラフト紙の重ね合わせ面間に、防水性と防湿性との何れ
かの機能と感熱接着能とを具備する合成樹脂層が介在しているクラフト紙層で
形成された筒状体を扁平に折り畳んだ扁平体の、
底辺から所定高さの区間の表裏のクラフト紙層のそれぞれのクラフト紙が、
該扁平体の全幅にわたり、幅方向に小間隔を存して隣接して形成された前記合
成樹脂層の感熱接着能による多数の接着部により一体に接着されており、
該接着部の間の区間の各クラフト紙層におけるクラフト紙と合成樹脂層とは
、互に遊離した状態で密接させられていることを特徴とする
クラフト紙袋用紙筒。
【発明の詳細な説明】
【技術分野】
【０００１】
本発明は、各種食料品、化学薬品、工業原料等の粉体、小粒体等の保管、運
搬等に使用されるクラフト紙袋の中間製品たるクラフト紙袋用紙筒の改良に関
する。
【背景技術】
【０００２】
従来の完成されたクラフト紙袋については、内包物の充填を、袋体上端部の
全開口部から行うものと、該上端部の開口部を閉じ、該上端部に充填用バルブ
を設け、このバルブを用いて内包物を充填するものとの２種に大別され、本発
明は、主として、袋体上端部の全開口部から内包物を充填する際に使用される
クラフト紙袋の製作工程で形成される紙筒の改良に関するものであり、全開口
部から内包物を充填する際には、クラフト紙袋の開口縁を表裏両側から負圧吸
引し、表裏のクラフト紙層を開口させている。
【０００３】
当該クラフト紙袋が、防水性或は防湿性を要求されており、クラフト紙の内
側に合成樹脂層が形成されている場合とか、合成樹脂フィルムが配設されてい
る場合に、表裏の各クラフト紙層が点貼りされている場合は問題ないものの、
点貼りされていない場合には、表層のクラフト紙は負圧吸引されて開口される
ものの、内側のクラフト紙或は合成樹脂フィルムには負圧が十分に作用せず、
開口不十分となり、外層のクラフト紙層との間に間隙部が生じ、内包物の充填
時に少量の内包物と空気とが、この間隙部に流入して滞留し、クラフト紙袋か
ら内包物をあける際に、該間隙部内に滞留していた内包物が、異物として、同
時に流出する問題を内蔵している。
【０００４】
また、前記点貼りは、クラフト紙のみの場合は、澱粉糊が使われるものの、
合成樹脂層が存在する場合は化学糊が使用されており、塗着時の糊剤の飛散、
ボタ落ち等により目的の場所以外に付着したり、付着形状が不安定となって種
々のトラブルの原因となるとか、開口端縁へ付着したり、該開口端縁からはみ
出したり、更には塗着過多による紙層からのしみ出し等も生じ、その結果、積
み重ねられたクラフト紙袋同士が接着してしまう等の問題を有している。
【０００５】
しかし、クラフト紙袋が内蔵する問題点を解消するための必要性も、解決手
段も、従来は提案されていない。
【非特許文献１】編集  全国クラフト紙袋工業組合「クラフト紙袋のしおり」第六版発行年月日  平成１１年（１９９９年）４月１日発行  全国クラフト紙袋工業組合３４頁〜３９頁  ４５頁〜５６頁  ５９頁〜６０頁  ６４頁〜６９頁
【発明の開示】
【発明が解決しようとする課題】
【０００６】
前記従来技術の問題点に鑑み、本発明は、少なくとも２枚のクラフト紙の重
ね合わせ面間に合成樹脂層が介在されたクラフト紙層よりなるクラフト紙袋に
おいて、内包物充填に先だち、クラフト紙袋の上端の開口縁を負圧吸引によっ
て開口させる際、既述のごとく負圧吸引の作用が十分に作用せず、開口不十分
なために生じた間隙部に内包物と空気とが流入し、しかも内包物の混入により
空気の抜けが悪化し、滞留する現象が生じ、そのままクラフト紙袋の上端の開
口縁が閉鎖されたとしても、袋体に作用する内外圧により、該滞留空気が、ク
ラフト紙袋下端から外部へ良好に排出されることにより、空気が滞留していた
空間が密閉状態となり、クラフト紙袋からの内包物の取り出し時に、該空間に
誤封入されていた内包物の流出が防止され、異物混入の恐れを皆無としうるク
ラフト紙袋用の紙筒を提供すること、並びに、クラフト紙袋の構成材料の感熱
接着能を利用することにより糊材を不必要とし、開口端縁まで接着させること
ができ、その結果、糊材の多少によりミシン針に与える抵抗を無くしてミシン
縫目の目飛びを減少させるのみでなく、糊材による点貼り工程を省略できるク
ラフト紙袋用紙筒を提供することを課題としている。
【課題を解決するための手段】
【０００７】
前記課題を解決するため、請求項１に記載される本発明では、クラフト紙袋
用紙筒を、少なくとも２枚のクラフト紙の重ね合わせ面間に、防水性と防湿性
との何れかの機能と感熱接着能とを具備する合成樹脂層が介在しているクラフ
ト紙層で形成された筒状体を扁平に折り畳んだ扁平体の、底辺から所定高さの
区間の表裏のクラフト紙層のそれぞれが、該扁平体の全幅にわたり、幅方向に
小間隙を存して隣接して形成された前記合成樹脂層の感熱接着能による多数の
接着部より一体に接着されており、該接着部間の各クラフト紙層におけるクラ
フト紙と合成樹脂層とは、互に遊離した状態で密接させられているという構成
とした。
【発明の効果】
【０００８】
本発明のクラフト紙袋用の紙筒は、扁平体とされた紙筒の底辺から所定高さ
の区間の表裏のクラフト紙層のそれぞれのクラフト紙が、その重ね合わせ面間
に介装された感熱接着能を具備する合成樹脂層の接着能により、扁平体の底辺
の全幅にわたり幅方向の小間隙を存した多数の接着部で一体に接着され、この
接着部間のクラフト紙と合成樹脂層とは、互に遊離した状態で密接させられて
いるので、クラフト紙袋に形成されたのち、その上部開口縁を表裏両面側から
負圧吸引に開口させる際に、吸引負圧が十分に作用せず、クラフト紙と合成樹
脂層との間に間隙が生ずる等の開口不十分な状態で内包物の充填が行われ、ク
ラフト紙と合成樹脂層との間に内包物と空気とが誤封入される事態が生じても
、内包物充填後に袋体に作用する内外圧により、該封入された空気は、前記接
着部間のクラフト紙と合成樹脂層とが遊離した状態で密着している部分を押し
拡げて紙筒たる扁平体の底辺とオーバーテープの屈曲部との間の空間へ流出し
たのち、該空間両端から袋外部へ流出し、流出後は該接着部間の遊離している
クラフト紙と合成樹脂層とは再び密接状態に戻り、外部空気が袋体の底部から
クラフト紙と合成樹脂層との間の空隙に流入することを防止できる効果を奏す
る。
【０００９】
その結果として、クラフト紙袋を開口し、内容物を排出する際に、前記間隙
へ誤流入した内容物は密封間隙内に空気の存在しない状態で残存することとな
り、異物として内容物と共に流出する現象の発生を防止できる効果を奏する。
【００１０】
また製造工程的には、クラフト紙袋の底部を介装されている合成樹脂層の感
熱接着能により、底部全体に亘って熱ロールで接着していた工程を、単に表面
構造の相違する熱ロールに交換するのみで足り、工程の増加や加工コストの上
昇等を伴うことが全く無い効果も奏し、しかも糊材が不必要となり点貼り工程
を省略できるし、塗着された糊材の多少によるミシン縫目の目飛びの発生も伴
なわず、開口端縁まで接着でき、しかも積み重ねても、従来品に生じやすかっ
たクラフト紙用紙筒同士の接着も皆無としうる等の効果も奏する。
【発明を実施するための最良の形態】
【００１１】
図１は、実施の一例であるひだ折目１、２を有するクラフト紙袋用紙筒３（
以下紙筒３と略称）の正面図であり、図１中Ａ−Ａ線横断面拡大図である図２
、及び図１中Ｂ−Ｂ線横断面拡大図である図３に示すごとく、この実施例の紙
筒３は、２枚のクラフト紙４、５が、その重ね合わせ面間に、防水性と防湿性
との何れかの機能と感熱接着能とを具備する合成樹脂層６を介在させられたク
ラフト紙層７の端縁同士を貼合した筒状体を扁平に折り畳んで形成した扁平体
８の底辺９から所定の高さＨの区間１０の表裏のクラフト紙層７のそれぞれの
クラフト紙４、５が、扁平体８の全幅Ｗにわたり、幅方向に小間隙Ｃを存して
、前記高さＨの区間１０に、互に隣接して形成された多数の接着部１１により
一体に接着されている。この接着は、前記合成樹脂層６の感熱接着能により、
ロール等を用いた加熱、加圧によって行われる。
【００１２】
前記接着部１１の間の区間１２におけるクラフト紙層７のクラフト紙４、５
と合成樹脂層６とは、互に遊離した状態で密接させられている。
【００１３】
図示実施例では、合成樹脂層６はフィルムとして表示されているがクラフト
紙４、５の何れか一方の、他方に対する対向面に塗着或は接着で一体的に形成
された合成樹脂膜に置換されうることは勿論である。
【００１４】
また図示例では、クラフト紙層７、７は２枚のクラフト紙４、５と１枚の合
成樹脂層６とで構成されているが、この枚数に限定されるものではなく、３枚
或は４枚等多数枚のクラフト紙とその間に介装された合成樹脂層で構成されて
もよいことは勿論である。
【００１５】
前記構造のクラフト紙袋用の紙筒３の底辺９から高さＨの区間１０を含むク
ラフト紙袋の底部は、クラフト紙袋に形成される際、ミシン縫い、クレープミ
シン縫い、補強テープミシン縫い、或はミシン縫いの外面へのオーバーテープ
の貼着等の手段で封かんされる。
【００１６】
図４は前記底辺９から高さＨの区間１０部分がミシン縫い１３で縫合され、
外面にオーバーテープ１４が接着剤１５、１６で接着され、クラフト紙袋用紙
筒３の底辺９が封かんされた場合の略示縦断面図である。
【００１７】
図４の状態のクラフト紙袋の上部開口部は、内包物の充填に際し、既述のご
とく、該開口部の表裏面側に配設された吸盤列のごとき、負圧吸引装置によっ
て吸引され、開口され、次いで内包物の充填工程に移行されるが、開口部の表
裏のクラフト紙層７が点貼りされていない場合、或は表裏のクラフト紙層が多
層構成で、内側のクラフト紙層に十分な吸引負圧が作用しない場合などには、
開口不十分で生じた間隙部に内包物と空気とが流入し、間隙内の内包物の存在
のため、空気の抜けが悪化し、両者が滞留したまま、開口部が密封されるケー
スが生ずる。この流入し、滞留した空気は、袋体に作用する内外圧により、既
述のクラフト紙４、５と合成樹脂層６とが遊離した状態で密着させられている
区間１２におけるクラフト紙４、５と合成樹脂層６との間を押し拡げてオーバ
ーテープ１４の屈曲部１７と前記底辺９との間の空間１８に流出し、オーバー
テープ１４の左右端に予め形成されている排気間隙に臨む空間１８から大気中
に流出し、排出される。
【００１８】
図４に示すオーバーテープ１４に相当する補強テープが採用され、補強テー
プの上からミシン縫い１３に相当するミシン縫いが施された場合は、図４に示
す空間１８への前述の空気の流出のほかに、前記紙筒３の区間１２に臨むミシ
ン糸と、クラフト紙４、５、合成樹脂層６との間の微小間隙、ミシン糸の繊維
間隙を通る空気流が、補強テープの両端に予め形成されている排気間隙からも
大気中に流出する。
【００１９】
この現象は図４に示す構造においても生じていることは勿論である。
【００２０】
図１、図２及び図３に示す実施例において、区間１２におけるクラフト紙４
、５と合成樹脂層６とは、既述のごとく互に遊離した状態で密接させられてお
り、クラフト紙袋に作用する内外圧により密接状態が破れ、通気間隙が形成さ
れるが、この構成は、接着部１１の形成時の加圧、加熱の影響で区間１２にお
けるクラフト紙４、５と合成樹脂層６との両者の接触面が、前記クラフト紙袋
に作用する内外圧によるクラフト紙４、５と合成樹脂層６間に流入した空気の
空気圧で直ちに剥離する程度の仮接着状態となる構成を除外するものではない
。
【００２１】
前記接着部１１の幅が0.5ｍｍ〜5ｍｍとされ、接着部１１の間の区間１２の
幅が5ｍｍ〜10ｍｍ、高さＨが15〜16ｍｍ前後とされた場合、前述の空気の排出
は良好に行われるが、排出後はクラフト紙４、５と合成樹脂層６とは再び密着
状態となり、外部空気がクラフト紙４、５と合成樹脂層６との間に流入するこ
とは皆無であることが実験的に確認されている。
【図面の簡単な説明】
【００２２】
【図１】実施の一例たるクラフト紙袋用紙筒の正面図である。
【図２】図１中Ａ−Ａ線横断面拡大図である。
【図３】図１中Ｂ−Ｂ線横断面拡大図である。
【図４】クラフト紙袋の底部の閉鎖構造の一例の模型的縦断面図である。
【符号の説明】
【００２３】
３  クラフト紙袋用紙筒
４、５  クラフト紙
６  合成樹脂層
７  クラフト紙層
８  扁平体
９  底辺
１０  区間
１１  接着部
１２  接着部間の区間
Ｃ  小間隙
Ｈ  所定高さ
Ｗ  全幅
【図１】
2005067665.tif 000003
【図２】
2005067665.tif 000004
【図３】
2005067665.tif 000005
【図４】
2005067665.tif 000006